(57)【要約】【課題】アンケート内容の作成を支援する情報処理装置及びプログラムを提供する。【解決手段】情報処理装置は、複数のアンケート項目からなるアンケートの回答履歴を含む分析情報を外部から取得し、分析情報からアンケート項目の組み合わせに基づいて第１の統計情報を算出する第１の情報解析手段と、第１の統計情報を表示する解析結果表示手段と、第１の統計情報から操作命令に基づいてアンケート項目の組み合わせを選択する項目選択手段と、項目選択手段に選択されたアンケート項目の組み合わせに関連する分析情報から各アンケート項目の項目内容の組み合わせに基づいて第２の統計情報を算出する第２の情報解析手段とを有する。【選択図】図１
2009223626.tif 000002
【特許請求の範囲】
【請求項１】
複数のアンケート項目からなるアンケートの回答履歴を含む分析情報を外部から取得し、前記分析情報から前記アンケート項目の組み合わせに基づいて統計情報を算出する情報解析手段と、
前記統計情報を表示する解析結果表示手段とを有することを特徴とする情報処理装置。
【請求項２】
前記解析結果表示手段は、前記統計情報として、前記アンケート項目を表形式で回答頻度を表示することを特徴とする請求項１に記載の情報処理装置。
【請求項３】
前記情報解析手段は、前記統計情報から回答頻度に基づいて注目項目を出力することを特徴とする請求項１に記載の情報処理装置。
【請求項４】
複数のアンケート項目からなるアンケートの回答履歴を含む分析情報を外部から取得し、前記分析情報から前記アンケート項目の組み合わせに基づいて第１の統計情報を算出する第１の情報解析手段と、
前記第１の統計情報を表示する解析結果表示手段と、
前記第１の統計情報から操作命令に基づいて前記アンケート項目の組み合わせを選択する項目選択手段と、
前記項目選択手段に選択された前記アンケート項目の組み合わせに関連する前記分析情報から各アンケート項目の項目内容の組み合わせに基づいて第２の統計情報を算出する第２の情報解析手段とを有することを特徴とする情報処理装置。
【請求項５】
前記第２の解析結果表示手段は、前記第２の統計情報として、前記項目内容を表形式で回答頻度を表示することを特徴とする請求項４に記載の情報処理装置。
【請求項６】
操作命令に基づいて少なくとも記入者又は記入日時を含む属性情報を選択する属性情報選択手段と、
複数のアンケート項目からなるアンケートの回答履歴及び属性情報を含む分析情報を外部から取得し、前記分析情報から前記アンケート項目の組み合わせ及び選択された前記属性情報に基づいて統計情報を算出する情報解析手段と、
前記統計情報を表示する解析結果表示手段とを有することを特徴とする情報処理装置。
【請求項７】
複数のアンケート項目からなるアンケートの回答履歴を含む分析情報を外部から取得し、前記分析情報から前記アンケート項目の組み合わせに基づいて統計情報を算出する情報解析ステップと、
前記統計情報を表示する解析結果表示ステップとをコンピュータに実行させることを特徴とするプログラム。
【発明の詳細な説明】
【技術分野】
【０００１】
本発明は、情報処理装置及びプログラムに関する。
【背景技術】
【０００２】
従来の技術として、予備アンケートを行って、回答率の高いアンケート内容の作成を支援する情報処理装置が知られている（例えば、特許文献１参照）。
【０００３】
この特許文献１の情報処理装置は、予め行った予備アンケートの各アンケート項目ごとの回答率を集計するアンケート集計手段と、回答率を格納する格納手段と、回答率が所定の閾値を上回ったアンケート項目を選んでアンケートの内容を作成するアンケート作成手段とを有し、アンケート作成手段によって作成したアンケートを実施することで、高い回答率を得ることができる。
【特許文献１】特開２００２−１０９１３７号公報
【発明の開示】
【発明が解決しようとする課題】
【０００４】
本発明の目的は、アンケート新規作成の際にアンケート項目の選択を支援する情報処理装置及びプログラムを提供することにある。
【課題を解決するための手段】
【０００５】
本発明の一態様は、上記目的を達成するため、以下の情報処理装置及びプログラムを提供する。
【０００６】
［１］複数のアンケート項目からなるアンケートの回答履歴を含む分析情報を外部から取得し、前記分析情報から前記アンケート項目の組み合わせに基づいて統計情報を算出する情報解析手段と、前記統計情報を表示する解析結果表示手段とを有することを特徴とする情報処理装置。
【０００７】
［２］前記解析結果表示手段は、前記統計情報として、前記アンケート項目を表形式で回答頻度を表示することを特徴とする前記［１］に記載の情報処理装置。
【０００８】
［３］前記情報解析手段は、前記統計情報から回答頻度に基づいて注目項目を出力することを特徴とする前記［１］に記載の情報処理装置。
【０００９】
［４］複数のアンケート項目からなるアンケートの回答履歴を含む分析情報を外部から取得し、前記分析情報から前記アンケート項目の組み合わせに基づいて第１の統計情報を算出する情報解析手段と、前記第１の統計情報を表示する解析結果表示手段と、前記第１の統計情報から操作命令に基づいて前記アンケート項目の組み合わせを選択する項目選択手段と、前記項目選択手段に選択された前記アンケート項目の組み合わせに関連する前記分析情報から各アンケート項目の項目内容の組み合わせに基づいて第２の統計情報を算出する第２の情報解析手段とを有することを特徴とする情報処理装置。
【００１０】
［５］前記解析結果表示手段は、前記第２の統計情報として、前記項目内容を表形式で回答頻度を表示することを特徴とする前記［４］に記載の情報処理装置。
【００１１】
［６］操作命令に基づいて少なくとも記入者又は記入日時を含む属性情報を選択する属性情報選択手段と、複数のアンケート項目からなるアンケートの回答履歴及び属性情報を含む分析情報を外部から取得し、前記分析情報から前記アンケート項目の組み合わせ及び選択された前記属性情報に基づいて統計情報を算出する情報解析手段と、前記統計情報を表示する解析結果表示手段とを有することを特徴とする情報処理装置。
【００１２】
［７］複数のアンケート項目からなるアンケートの回答履歴を含む分析情報を外部から取得し、前記分析情報から前記アンケート項目の組み合わせに基づいて統計情報を算出する情報解析ステップと、前記統計情報を表示する解析結果表示ステップとをコンピュータに実行させることを特徴とするプログラム。
【発明の効果】
【００１３】
請求項１、及び請求項７に係る発明によれば、アンケート項目の組み合わせに基づいて分析情報を解析し、統計情報を表示するため、アンケート新規作成の際にアンケート項目の選択を支援することができる。
【００１４】
請求項２、請求項３、及び請求項５に係る発明によれば、回答頻度の高い又は低いアンケート項目を含む分析情報を抽出するため、回答率の高いアンケートを作成することができる。
【００１５】
請求項４に係る発明によれば、アンケート項目の組み合わせに基づいて分析情報を解析し、第１の統計情報を表示するとともに、項目内容の組み合わせに基づいて分析情報を解析し、第２の統計情報を表示するため、アンケート新規作成の際にアンケート項目及び項目内容の選択を支援することができる。
【００１６】
請求項６に係る発明によれば、属性情報に基づいて分析情報を解析し、解析結果を表示するため、アンケート新規作成の際にアンケート項目の選択を支援することができる。
【発明を実施するための最良の形態】
【００１７】
以下に、本発明の情報処理装置及びプログラムの実施の形態を図面を参考にして詳細に説明する。
【００１８】
［第１の実施の形態］
（アンケート作成システムの構成）
図１は、本発明の第１の実施の形態に係るアンケート作成システムの構成例を示す概略図である。
【００１９】
アンケート作成システム１０００は、アンケートの回答履歴を解析するとともに新規アンケートの作成処理をする情報処理装置１と、アンケートの回答履歴である分析情報２０を格納する分析情報データベース２と、情報処理装置１と相互に通信して情報処理装置１を操作するとともに情報処理装置１から受信する表示情報を図示しない表示装置に表示処理する端末装置３と、情報処理装置１において作成した新規アンケートとしての記入シート情報を記入シート１００として出力するとともに記入シート１００に書き込まれた回答を読み取る複合機４を有し、それぞれネットワーク５で接続されて構成される。
【００２０】
情報処理装置１は、ＣＰＵ等を用いて構成される制御部１０を有し、制御部１０は、分析情報２０を解析して解析結果を出力する情報解析手段１０Ａと、情報解析手段１０Ａから入力する解析結果を端末装置３に接続された表示部に表示可能な表示情報にして出力する解析結果表示手段１０Ｂと、端末装置３から入力する操作信号に基づいてアンケートの質問項目としての項目を選択して情報解析手段１０Ａ又はシート作成手段１０Ｄに出力する項目選択手段１０Ｃと、項目選択手段１０Ｃから入力する項目に基づいて新規の記入シート情報を作成するシート作成手段１０Ｄとして動作する。また、情報処理装置１は、図示しない、外部と通信する通信部、情報を一時的に記憶して制御部１０の動作を補助するメモリ、情報を記憶するＨＤＤ（Ｈａｒｄ  Ｄｉｓｋ  Ｄｒｉｖｅ）等の記憶部等をさらに有する。
【００２１】
図２は、本発明の第１の実施の形態に係る記入シートの構成例を示す概略図である。
【００２２】
記入シート１００は、アンケート記入者がアンケートを記入する日付を記入する日付記入欄１０１と、アンケート記入者が同時に記入した枚数を記入する枚数記入欄１０２と、アンケート記入者のＩＤとしての社員番号を記入する社員番号記入欄１０３と、アンケート（活動）の記入を区別するＩＤとしての活動ＩＤ１０４と、ある活動を実行した開始時刻及び終了時刻を記入する時間帯記入欄１０５と、活動の種別としての項目１０６と、各項目１０６の回答内容としての項目内容１０７とを有する。
【００２３】
記入シート１００は、例えば、紙面上に印刷されたアンケート記入用紙であるが、端末装置３において情報を入力する電子アンケートでもよい。項目１０６及び項目内容１０７に記入された回答は、回答履歴として分析情報２０に格納され、日付記入欄１０１、社員番号記入欄１０３、時間帯記入欄１０５に記入された回答は、回答履歴に関連づけて属性情報として分析情報２０に格納される。
【００２４】
図３は、本発明の第１の実施の形態に係る分析情報の構成例を示す概略図である。
【００２５】
分析情報２０は、記入シート１００に記入されたアンケートの回答を複合機４で読み込んでアンケート回答履歴として情報化したものであり、記入シート１００の活動ＩＤ１０４に対応する活動ＩＤと、記入シート１００の社員番号記入欄１０３に記入された情報である記入者識別ＩＤと、時間帯記入欄１０５に記入された情報である開始時刻及び終了時刻と、開始時刻と終了時刻との差分である差分と、項目としての「業務プロセス」及び「誰と」とを有する。
【００２６】
なお、記入者識別ＩＤは、所属する部門、活動の拠点、職業の経験年数、業務成績等の個人の属性情報に関連づけられている。また、開始時刻、終了時刻、及び差分は、年度、活動期間等、時期の属性情報に関連づけられている。また、これらの属性情報は、図示しないデータベースに格納されている。
【００２７】
図４Ａは、本発明の第１の実施の形態に係る項目選択画面の構成例を示す概略図である。
【００２８】
項目選択画面１１０は、アンケート新規作成の際に最初に端末装置３に接続された表示部に表示される画面であり、アンケートに追加する項目候補としての項目１１１及び項目１１２の組み合わせにおいて、分析情報２０に該当する項目の数を表示する履歴１１３ａと、項目１１１及び項目１１２の組み合わせを選択するためのチェック枠１１３ｂとを有する。
【００２９】
図４Ｂは、本発明の第１の実施の形態に係る解析画面の構成例を示す概略図である。
【００３０】
解析画面１２０は、項目選択画面１１０において選択された項目の組み合わせに基づいて端末装置３に接続された表示部に表示される画面であり、項目選択画面において選択された項目の組み合わせ、例えば、「誰と」と「活動内容」の組み合わせを表示する選択項目１２１と、選択項目１２１に該当する分析情報２０を項目内容の組み合わせで分析情報データベース２から検索して分析した項目統計情報１２２を表示するとともに、選択項目１２１を用いた過去のアンケート履歴に該当する分析情報２０を分析して、選択項目１２１と同時に過去のアンケートで使用された関連属性情報１２３ａと注目項目内容１２３ｂとの組み合わせを、例えば頻度の多い順に注目アイテム１２３として表示する。
【００３１】
そして、選択項目１２１に該当する分析情報２０を分析するための観点として、関連属性情報１２３aを例えばその属性の性質毎にグルーピングして属性情報１２４と対応付ける図示しないテーブルで定義しておき、このテーブルを用いて今回分析により抽出された関連属性情報１２３aが属する属性情報１２４を決定する。この決定された属性情報１２４と、属性情報１２４に基づいて選択項目１２１に該当する分析情報２０をグラフ１２５ａ〜１２５ｄで表示する項目統計情報グラフ表示部１２５と、項目統計情報１２２において選択された項目内容チェック枠１２２ａ又は１２２ｂに基づいて分析情報２０をグラフ１２６ａ〜１２６ｄで表示するチェック項目内容グラフ表示部１２６と、選択された項目内容チェック枠１２２ａ又は１２２ｂに基づいて新規アンケートに項目及び項目内容を追加する決定ボタン１２７とを有する。
【００３２】
（動作）
以下に、本発明の第１の実施の形態に係る情報処理装置及びプログラムの動作を各図を参照しつつ説明する。
【００３３】
図５は、本発明の第１の実施の形態に係る情報処理装置の動作例を示すフローチャートである。
【００３４】
情報処理装置１は、端末装置３から新規アンケート作成要求を受信すると（Ｓ１；Ｙｅｓ）、情報解析手段１０Ａによって分析情報データベース２から分析情報２０を取得して解析し（Ｓ２）、解析結果表示手段１０Ｂによって項目選択画面１１０を表示する（Ｓ３）。
【００３５】
次に、端末装置３において項目選択画面１１０のチェック枠１１３ｂが選択されると（Ｓ４；Ｙｅｓ）、情報解析手段１０Ａは、選択項目１２１の組み合わせと同時に、過去にアンケートで使用された関連属性情報１２３ａと注目項目内容１２３ｂとの組み合わせを検索して使用頻度を計算し、頻度の高い組み合わせを注目アイテム１２３と決定する。続いて関連属性情報１２３aと属性情報１２４の対応テーブルを参照し、注目アイテム１２３に対応する属性情報１２４を決定する。解析結果表示手段１０Ｂは、項目統計情報１２２、注目アイテム１２３、及び注目アイテム１２３に対応する属性情報１２４に基づいて過去のアンケート結果を分析した項目統計情報グラフ表示部１２５を表示する（Ｓ５）。
【００３６】
次に、項目統計情報１２２において項目内容チェック枠１２２ａ又は１２２ｂがチェックされると（Ｓ６；Ｙｅｓ）、情報解析手段１０Ａは、チェックされた項目内容チェック枠１２２ａ又は１２２ｂの項目内容に基づいて分析情報２０を解析し、解析結果表示手段１０Ｂが、属性情報に基づいて過去のアンケート結果を分析したチェック項目内容グラフ表示部１２６を表示する（Ｓ７）。
【００３７】
次に、解析画面１２０の決定ボタンが操作されると（Ｓ８；Ｙｅｓ）、チェックされた項目内容チェック枠１２２ａ又は１２２ｂの項目内容に基づいて新規アンケートの記入シート１００に項目と項目内容を追加する。
【００３８】
（第１の実施の形態の効果）
上記した第１の実施の形態によれば、先に選択した項目及び項目内容に基づいて過去のアンケート履歴である分析情報２０を分析し、過去に同時に分析に用いられた属性情報を用いた分析結果を表示して利用者に提示するため、アンケート新規作成の際に利用者が所望のアンケート結果を得ることができるかを仮に表示でき、項目及び項目内容の選択を支援することができる。
【００３９】
［第２の実施の形態］
図６は、本発明の第２の実施の形態に係る解析画面の構成例を示す概略図である。
【００４０】
解析画面１３０は、アンケート新規作成の際に最初に端末装置３に接続された表示部に表示される画面であり、分析情報２０を分析するための観点を属性情報選択枠１３１ａから選択できる属性情報１３１と、選択される属性情報１３１に基づいて定められる任意の指標である注目ポイント１３２ｂの高い注目項目１３２ａの組み合わせを表示する注目アイテム１３２と、属性情報１３１に基づいて定められる任意の指標である注目ポイント１３３ｂの低い注目項目１３３ａの組み合わせを表示する注目アイテム１３３とを有する。また、表示ボタン１３２ｃ及び１３３ｃは、注目アイテム１３２及び１３３を図４Ｂに示すグラフ１２６ａ〜１２６ｄのように表示する。
【００４１】
なお、注目ポイント１３２ｂ及び１３３ｂは、過去のアンケート履歴において、ある項目が属性情報１３１とどのような関係にあるかを数値化したものであり、選択された属性情報１３１が一つの場合は、その属性情報に該当する分析情報２０の数から算出され、選択された属性情報１３１が複数の場合は、それぞれの属性情報１３１に該当する分析情報２０の数、及び属性情報１３１の組み合わせに該当する分析情報２０の数を加算することで求められる。なお、該当する数に対して所定の値を乗じてもよく、例えば、全体のアンケートの回答履歴数で割る等の変形を行ってもよく、計算方法は限定しない。
【００４２】
（動作）
図７は、本発明の第２の実施の形態に係る情報処理装置の動作例を示すフローチャートである。
【００４３】
情報処理装置１は、端末装置３から新規アンケート作成要求を受信すると（Ｓ１０；Ｙｅｓ）、情報解析手段１０Ａによって分析情報データベース２から分析情報２０を取得して解析し（Ｓ１１）、解析結果表示手段１０Ｂによって解析画面１３０を表示する（Ｓ１２）。
【００４４】
次に、属性情報１３１が選択されると（Ｓ１３；Ｙｅｓ）、情報解析手段１０Ａは、選択された属性情報１３１に基づいて分析情報２０を解析し、解析結果表示手段１０Ｂによって注目アイテム１３２及び１３３を表示する（Ｓ１４）。
【００４５】
次に、表示ボタン１３２ｃ又は１３３ｃが操作されると（Ｓ１５；Ｙｅｓ）、情報解析手段１０Ａは、操作された表示ボタン１３２ｃ又は１３３ｃの属性情報と注目項目の組み合わせにおいて分析情報２０から情報を抽出し、解析結果表示手段１０Ｂは、図４Ｂに示すチェック項目内容グラフ表示部１２６に該当するグラフを作成して表示する（Ｓ１６）。
【００４６】
（第２の実施の形態の効果）
上記した第２の実施の形態によれば、属性情報に基づいて分析情報２０を分析し、分析結果を指標化して表示して利用者に提示するため、アンケート新規作成の際に利用者の項目及び項目内容の選択を支援することができる。
【００４７】
［第３の実施の形態］
図８Ａは、本発明の第３の実施の形態に係るものであり、新規追加項目作成画面の構成例を示す概略図である。本発明の第３の実施の形態は、過去のアンケート結果で不足したアンケート項目を追加することを支援するのに特に有効な形態である。
【００４８】
まず、雛形として利用する過去のアンケート結果を分析情報データベース２から検索して、情報処理装置１に取り込む。情報解析手段１０Ａは、このデータを用いて、そのアンケートでの設定された選択項目および統計情報を分析する。
【００４９】
新規追加項目作成画面１４０は、新規に項目を追加する際に端末装置３に接続された表示部に表示される画面であり、新規に追加する項目の設定であるタイトル、データタイプ、値の上限、及び値の下限を設定する追加項目設定１４１と、各追加項目設定１４１の内容を選択する追加項目設定選択枠１４２と、新規に追加する項目にダミーデータを入力するダミーデータ作成ボタン１４３とを有する。
【００５０】
図８Ｂは、本発明の第３の実施の形態に係る項目統計情報画面の構成例を示す概略図である。
【００５１】
項目統計情報画面１５０は、図４Ｂに示す項目統計情報１２２と同様に、取り込まれた過去のアンケート結果である過去データ１５３が表示されるが、さらに新たなアンケート項目となりうる項目に関するダミーデータ１５１を表示する。ここでは新規に項目を追加して図８Ａにおいてダミーデータ作成ボタン１４３を操作した場合を示し、ランダムに値の入力されたダミーデータ１５１を有する。項目内容チェック枠１５２ａ又は１５２ｂは、選択されることで図４Ｂに示すグラフ１２６ａ〜１２６ｄのようにグラフを描画する。
【００５２】
ダミーデータとしては、所定の数値範囲でランダム発生させた数値を用いることもできるが、属性情報が一致または類似する他のアンケートの過去データのうち追加項目として設定したデータを有するデータを分析情報データベース２より取得し用いる方が、追加の適否を判断する上では有効である。
【００５３】
（第３の実施の形態の効果）
上記した第３の実施の形態によれば、分析情報２０に含まれない項目及び項目情報を新規アンケートに追加することができ、解析結果としてダミーデータを用いて表示することができるため、追加項目の設定をより有効に支援できる。
【００５４】
［他の実施の形態］
なお、本発明は、上記実施の形態に限定されず、本発明の趣旨を逸脱しない範囲で種々な変形が可能である。例えば、記入シート１００の構成は本実施の形態において説明した内容に限らず、様々な項目を追加することができる。また、項目選択画面１１０、解析画面１２０、解析画面１３０、新規追加項目作成画面１４０、及び項目統計情報画面１５０は、図面において説明した配置や表示形式に限定されず、様々な変更が可能である。
【００５５】
また、上記実施の形態で使用される情報解析手段１０Ａ、解析結果表示手段１０Ｂ、項目選択手段１０Ｃ、及びシート作成手段１０Ｄは、ＣＤ−ＲＯＭ等の記憶媒体から装置内の記憶部に読み込んでも良く、インターネット等のネットワークに接続されているサーバー等から装置内の記憶部にダウンロードしてもよい。また、上記実施の形態で使用される手段の一部又は全部をＡＳＩＣ等のハードウェアによって実現してもよい。
【図面の簡単な説明】
【００５６】
【図１】本発明の第１の実施の形態に係るアンケート作成システムの構成例を示す概略図である。
【図２】本発明の第１の実施の形態に係る記入シートの構成例を示す概略図である。
【図３】本発明の第１の実施の形態に係る分析情報の構成例を示す概略図である。
【図４Ａ】本発明の第１の実施の形態に係る項目選択画面の構成例を示す概略図である。
【図４Ｂ】本発明の第１の実施の形態に係る解析画面の構成例を示す概略図である。
【図５】本発明の第１の実施の形態に係る情報処理装置の動作例を示すフローチャートである。
【図６】本発明の第２の実施の形態に係る解析画面の構成例を示す概略図である。
【図７】本発明の第２の実施の形態に係る情報処理装置の動作例を示すフローチャートである。
【図８Ａ】本発明の第３の実施の形態に係る新規項目作成画面の構成例を示す概略図である。
【図８Ｂ】本発明の第３の実施の形態に係る項目統計情報画面の構成例を示す概略図である。
【符号の説明】
【００５７】
１…情報処理装置、２…分析情報データベース、３…端末、４…複合機、５…ネットワーク、１０…制御部、１０Ａ…情報解析手段、１０Ｂ…解析結果表示手段、１０Ｃ…項目選択手段、１０Ｄ…シート作成手段、２０…分析情報、１００…記入シート、１０１…日付記入欄、１０２…枚数記入欄、１０３…社員番号記入欄、１０４…活動ＩＤ、１０５…時間帯記入欄、１０６…項目、１０７…項目内容、１１０…項目選択画面、１１１…項目、１１２…項目、１１３ａ…履歴、１１３ｂ…チェック枠、１２０…解析画面、１２１…選択項目、１２２…項目統計情報、１２２ａ、１２２ｂ…項目内容チェック枠、１２３…注目アイテム、１２３ａ…関連属性情報、１２３ｂ…注目項目内容、１２４…属性情報、１２５…項目統計情報グラフ表示部、１２５ａ〜１２５ｄ…グラフ、１２６…チェック項目内容グラフ表示部、１２６ａ〜１２６ｄ…グラフ、１２７…決定ボタン、１３０…解析画面、１３１…属性情報、１３１ａ…属性情報選択枠、１３２…注目アイテム、１３２ａ…注目項目、１３２ｂ…注目ポイント、１３２ｃ…表示ボタン、１３３…注目アイテム、１３３ａ…注目項目、１３３ｂ…注目ポイント、１３３ｃ…表示ボタン、１４０…新規追加項目作成画面、１４１…追加項目、１４２…追加項目選択枠、１４３…ダミーデータ作成ボタン、１４３ａ…キャンセルボタン、１５０…項目統計情報画面、１５１…ダミーデータ、１５２ａ、１５２ｂ…項目内容チェック枠、１５３…過去データ、１０００…アンケート作成システム
【図１】
2009223626.tif 000003
【図２】
2009223626.tif 000004
【図３】
2009223626.tif 000005
【図４Ａ】
2009223626.tif 000006
【図５】
2009223626.tif 000007
【図６】
2009223626.tif 000008
【図７】
2009223626.tif 000009
【図８Ａ】
2009223626.tif 000010
【図８Ｂ】
2009223626.tif 000011
【図４Ｂ】
2009223626.tif 000012